(57)【要約】【課題】  簡単な構成によって監視の信頼性を高める。【解決手段】  ＯＴＤＲ１と、基幹の光ファイバ２を介して接続されている複数の２×２のカプラ３と、各カプラに接続されている２×１の３ｄＢカプラ５と、各３ｄＢカプラ５に接続されている反射型センサ４とから構成されており、ＯＴＤＲ１からの光パルスは２×２のカプラ３により分岐され、当該カプラ３の１側を通り上記２×１の３ｄＢカプラ５を経由して反射型センサ４に到達することができ、上記光パルスはカプラ３の２側を通り上記２×１の３ｄＢカプラ５を経由して反射型センサに到達することができる。【選択図】        図１
2008014698.tif 000002
【特許請求の範囲】
【請求項１】
ＯＴＤＲと、このＯＴＤＲに接続されかつループを形成している基幹の光ファイバと、この基幹の光ファイバを介して接続されている複数の第１の分岐部と、各第１の分岐部にそれぞれ接続されている第２の分岐部と、各第２の分岐部にそれぞれ接続されている反射型センサとから構成されており、
上記ＯＴＤＲからの光パルスは上記各第１の分岐部により分岐され、当該第１の分岐部の１側を通り上記第２の分岐部を経由して反射型センサに到達することができ、上記光パルスは上記第１の分岐部の２側を通り上記第２の分岐部を経由して反射型センサに到達することができる
ことを特徴とするＯＴＤＲによる監視システム。
【請求項２】
基幹の光ファイバにおけるループは左側ルートと右側ルートからなり、第１の分岐部が左側ルート又は右側ルートのいずれか一側のルートに配置されていることを特徴とする請求項１記載のＯＴＤＲによる監視システム。
【請求項３】
第１の分岐部は２×２のカプラであり、第２の分岐部は２×１の３ｄＢカプラであることを特徴とする請求項１又は請求項２記載のＯＴＤＲによる監視システム。
【発明の詳細な説明】
【技術分野】
【０００１】
この発明は、河川や大型タンクなどを監視するためのＯＴＤＲによる監視システムに関するものである。
【背景技術】
【０００２】
図３に示す従来のＯＴＤＲによる監視システムは、ＯＴＤＲ１１に接続されている本線である基幹の光ファイバ１２から１ポート入力、２ポート出力の光カプラ１３を使って各センサ１４（１４ａ，１４ｂ，１４ｃ）側へ光を分岐させる構成である。ＯＴＤＲ１１から光ファイバ１２へ出射された光パルス（検査光又は試験光）は、光カプラ１３を通して各センサ１４ａ，１４ｂ，１４ｃへ伝送される。光パルスはセンサ１４の状態により強度変調を受け、往路と同様な復路を辿り、ＯＴＤＲ１１へ戻る。
【発明の開示】
【発明が解決しようとする課題】
【０００３】
従来例によると、図３に示すＡ地点で光ファイバ１２が切断されると、センサ１４ｃ及びこれに後続しているセンサの監視ができなくなる。換言すれば、基幹の光ファイバ１２が断線した場合、断線地点以降のセンサ（図ではセンサ１４ｃ及びこれに後続しているセンサ）にはＯＴＤＲ１１からの光が届かず、監視できない課題があった。
また、監視システムに高い信頼性が求められる場合には、基幹の光ファイバとそれに接続するセンサを２重に配置している例があるが、二重の監視システムの機器を必要として構成が複雑になると共に監視費用が増す課題があった。
この発明の目的は、簡単な構成によって監視の信頼性を高めることにある。
【課題を解決するための手段】
【０００４】
この発明では、基幹の光ファイバが断線した場合は、断線地点以降のセンサは基幹の光ファイバの逆側から光を入れて監視可能とすることで、監視を継続することができ、監視システムの機器費用を節約できかつ監視の信頼性を高めるものである。
この発明の第１の特徴は、ＯＴＤＲと、このＯＴＤＲに接続されかつループを形成している基幹の光ファイバと、この基幹の光ファイバを介して接続されている複数の第１の分岐部と、各第１の分岐部にそれぞれ接続されている第２の分岐部と、各第２の分岐部にそれぞれ接続されている反射型センサとから構成されており、上記ＯＴＤＲからの光パルスは上記各第１の分岐部により分岐され、当該第１の分岐部の１側を通り上記第２の分岐部を経由して反射型センサに到達することができ、上記光パルスは上記第１の分岐部の２側を通り上記第２の分岐部を経由して反射型センサに到達することができることにある。
この発明の第２の特徴は、第１の特徴を前提としており、基幹の光ファイバにおけるループは左側ルートと右側ルートからなり、第１の分岐部が左側ルート又は右側ルートのいずれか一側のルートに配置されていることにある。
この発明の第３の特徴は、第１又は第２の特徴を前提としており、第１の分岐部が２×２のカプラであり、第２の分岐部が２×１の３ｄＢカプラであることにある。
【発明の効果】
【０００５】
この発明によれば、基幹の光ファイバの断線時においても、センサを逆方向から監視することにより全てのセンサの監視を続けることができるから、簡単な構成によって監視システムの信頼性が向上する。
【発明を実施するための最良の形態】
【０００６】
以下、この発明の実施の形態について図１及び図２を参照して説明する。
図１に示す監視システムの構成は、ＯＴＤＲ（Ｏｐｔｉｃａｌ  Ｔｉｍｅ  Ｄｏｍａｉｎ  Ｒｅｆｌｅｃｔｏｍｅｔｅｒ）１と、このＯＴＤＲに接続されかつループを形成している基幹の光ファイバ２と、この基幹の光ファイバを介して接続されている複数の第１の分岐部３と、各第１の分岐部にそれぞれ接続されている第２の分岐部５と、各第２の分岐部５にそれぞれ接続されている複数の反射型センサ４ａ，４ｂ，４ｃとから構成されている。
基幹の光ファイバ２におけるループは左側ルート２ａと右側ルート２ｂとからなる。各第１の分岐部３は、光ファイバ２における左側ルート２ａにそれぞれ配置されている。また各反射型センサ４ａ，４ｂ，４ｃは監視対象である河川の岸、大型タンクなどに設置される。
なお、当該反射型センサ４ａ，４ｂ，４ｃを総称する場合における符号については、必要に応じて「４」を使用する。
【０００７】
反射型センサ４の接続基本構成を示す図２において、第１の分岐部３として分岐比１〜１０％の２×２のカプラが用いられており、第２の分岐部５として２×１の３ｄＢカプラが用いられており、反射型センサは第２の分岐部５の１本のポート側に接続されている。
図１において、反射型センサ４（４ａ，４ｂ，４ｃ）を基幹の光ファイバ２の左側ルート２ａを通じて監視する時、ＯＴＤＲからの光パルス（検査光又は試験光）は第１の分岐部３により所定の分岐比で分岐され、１側（図右側）を通り第２の分岐部５を経由して反射型センサ４に到達する。反対に、反射型センサ４を基幹の光ファイバ２の右側ルート２ｂから監視する時、光パルスは第１の分岐部３により分岐され、２側（図左側）を通り第２の分岐部５を経由して反射型センサ４に到達する。
図１において、６は光結合部である光スイッチである。
【０００８】
図１に示すＡ地点で光ファイバ２が切断された場合、光スイッチ６を通じて基幹の光ファイバの逆側（右側ルート２ｂ）から光を入れることにより、断線地点以降のセンサ（図ではセンサ４ｃ及びこれに後続するセンサ）の監視を継続することができるから、結局、基幹の光ファイバの断線時においても、全てのセンサ４の監視を続けることができる。
したがって、ＯＴＤＲによる監視システムにおいて、このような反射型センサ４の接続基本構成を採用することにより、各反射型センサ４ａ，４ｂ，４ｃには基幹の光ファイバ２の左右どちらの経路（ルート）からも監視することができ、監視の信頼性が高まる。
【図面の簡単な説明】
【０００９】
【図１】この発明に係るＯＴＤＲによる監視システムを示す構成図である。
【図２】この発明に係るＯＴＤＲによる監視システムに使用するセンサの接続基本を拡大して示す構成図である。
【図３】従来のＯＴＤＲによる監視システムを示す構成図である。
【符号の説明】
【００１０】
１                        ＯＴＤＲ
２                        基幹の光ファイバ
２ａ                      左側ルート
２ｂ                      右側ルート
３                        第１の分岐部（２×２のカプラ）
４，４ａ，４ｂ，４ｃ      反射型センサ
５                        第２の分岐部（２×１の３ｄＢカプラ）
【図１】
2008014698.tif 000003
【図２】
2008014698.tif 000004
【図３】
2008014698.tif 000005